(57)【要約】【課題】最大消費電力運転時に電気掃除機の吸込口が密閉されても電動送風機が完全に停止することなく使い勝手のよい、さらに安全面においてより信頼性の高い電気掃除機を提供する。【解決手段】双方向性サイリスタ１０を所定の位相にて点弧させる主トリガ信号を伝達する主トリガ経路１１、同半波内にて主トリガ信号よりも遅い副位相で点弧させる副トリガ信号を伝達する副トリガ経路１２を設け、主トリガ経路１１には経路を遮断する温度過昇遮断手段４を配し、前記副位相で電気掃除機を密閉運転した場合、電気掃除機内部の温度上昇が規定の温度より高くならないように副位相を設定する。【選択図】図３
2010279584.tif 000002
【特許請求の範囲】
【請求項１】
吸引力を発生する電動送風機と、前記電動送風機へ電力を供給するための双方向性サイリスタを設け、使用者が操作部を操作することで前記双方向性サイリスタの点弧角をコントロールし、所定の消費電力にパワーコントロールできるトリガ信号を発生させる制御回路を備えた構成において、前記双方向性サイリスタを所定の位相にて点弧させるトリガ信号を伝達する主トリガ経路と、同半波内にて前記所定の位相よりも遅い副位相で点弧させるトリガ信号を伝達する副トリガ経路を設け、主トリガ経路には経路を遮断する温度過昇遮断手段を配し、前記副位相で電気掃除機を密閉運転した場合、電気掃除機内部の温度上昇が規定の温度より高くならないように副位相を設定することを特徴とした電気掃除機。
【請求項２】
電源電圧を検知する電圧検知手段を設け、検知された電源電圧値により前記副位相を補正する電圧検知補正手段を設けたことを特徴とした請求項１に記載の電気掃除機。
【請求項３】
最大消費電力時の電動送風機への供給電流を検知する電流検知手段を設け、検知された電流値により前記副位相を補正する電流検知補正手段を設けたことを特徴とした請求項１または２に記載の電気掃除機。
【請求項４】
電気掃除機近傍の外気温度を検知する外気温度検知手段を設け、検知された外気温度により前記副位相を補正する外気温度検知補正手段を設けたことを特徴とした請求項１〜３のいずれか１項記載の電気掃除機。
【請求項５】
設定された副位相より遅い位相の範囲内で、前記操作部の操作により使用者が副位相を可変させることのできる請求項１〜４のいずれか１項記載の電気掃除機。
【請求項６】
副トリガ経路に主トリガ経路に設けられた温度過昇遮断手段より動作温度の低い温度過昇遮断手段を配した請求項１〜５のいずれか１項記載の電気掃除機。
【請求項７】
主トリガ経路に設けられた温度過昇遮断手段より副トリガ経路に設けられた温度過昇遮断手段を電動送風機のより近傍に配することを特徴とした請求項６記載の電気掃除機。
【発明の詳細な説明】
【技術分野】
【０００１】
本発明は、電機掃除機の温度過昇防止機能に関するものである。
【背景技術】
【０００２】
従来から電気掃除機の電動送風機の温度過昇防止機能に関しては、電気掃除機本体内に温度過昇遮断手段であるサーモスタットを用いて電気掃除機本体内の温度が規定温度以上に上昇した場合、完全に電動送風機を停止させるものやサーミスタなどの温度検知素子により電気掃除機本体内の温度変化に伴い電動送風機の出力を減少させるようにしたものがある（例えば、特許文献１参照）。
【先行技術文献】
【特許文献】
【０００３】
【特許文献１】特開平４−３４３８２７号公報
【発明の概要】
【発明が解決しようとする課題】
【０００４】
しかしながら、上記のようなサーモスタットを用いた構成においては、一般的に温度過昇遮断手段の動作温度の設定温度は、電気掃除機本体内の温度上昇による変形を防止するため最大消費電力運転時に電気掃除機の吸込口が密閉されると、すぐ動作する温度に設定されており、温度過昇遮断手段動作後は復帰までの間、電動掃除機を運転させることができなかった。また温度検知素子により電動送風機の出力を減少させる構成においては、電気掃除機本体内の温度上昇時に完全に経路を電気的に遮断し、電動送風機を停止させるわけではないので誤検知などが想定され、安全装置としては信頼性が低くなるといった課題がある。
【０００５】
本発明は、上記の課題を解決するものであり、双方向性サイリスタを所定の位相にて点弧させる主トリガ経路、同半波内にて前記所定の位相よりも遅い副位相で点弧させる副トリガ経路を設け、主トリガ経路には経路を遮断する温度過昇遮断手段を配し、副位相で電気掃除機を密閉運転した場合、電気掃除機内部の温度上昇が規定の温度より高くならないように副位相を設定することで、最大消費電力運転時に電気掃除機の吸込口が密閉されても電動送風機が完全に停止することなく使い勝手のよい、さらに安全面においてより信頼性の高い電気掃除機を提供することを目的としている。
【課題を解決するための手段】
【０００６】
前記従来の課題を解決するために、本発明の電気掃除機は、吸引力を発生する電動送風機と、前記電動送風機へ電力を供給するための双方向性サイリスタを設け、使用者が操作部を操作することで前記双方向性サイリスタの点弧角をコントロールし、所定の消費電力にパワーコントロールできるトリガ信号を発生させる制御回路を備えた構成において、双方向性サイリスタを所定の位相にて点弧させるトリガ信号を伝達する主トリガ経路、同半波内にて所定の位相よりも遅い副位相で点弧させるトリガ信号を伝達する副トリガ経路を設け、主トリガ経路には経路を遮断する温度過昇遮断手段を配し、前記副位相で電気掃除機を密閉運転した場合、電気掃除機内部の温度上昇が規定の温度より高くならないように副位相を設定することを特徴とするもので、最大消費電力運転時に電気掃除機の吸込口が密閉された場合、温度過昇遮断手段が動作して最大消費電力での運転モードは遮断され安全となり、電気掃除機内部の温度上昇が規定の温度より高くならない副位相の範囲で電動送風機が完全に停止することなく運転できる。
【発明の効果】
【０００７】
本発明の電気掃除機は、最大消費電力運転時に電気掃除機の吸込口が密閉された場合、温度過昇遮断手段が動作して最大消費電力での運転モードは遮断され安全となり、電気掃除機内部の温度上昇が規定の温度より高くならない副位相の範囲で電動送風機が完全に停止することなく運転できるため、使い勝手がよく安全面においてより信頼性の高い電気掃除機を提供することができる。
【図面の簡単な説明】
【０００８】
【図１】本発明の実施の形態１における電気掃除機の全体斜視図
【図２】同電気掃除機本体の断面図
【図３】同電気掃除機の回路ブロック図
【図４】同電気掃除機のパワーコントロール操作部の平面図
【図５】電動送風機室内の温度上昇と制御回路の挙動図
【図６】電圧検知補正手段にて補正をかけた時の制御回路の挙動図
【図７】外気温度検知補正手段にて補正をかけた時の制御回路の挙動図
【図８】本発明の実施の形態２における回路ブロック図
【図９】同電気掃除機本体の断面図
【発明を実施するための形態】
【０００９】
第１の発明は、本発明の電気掃除機は、吸引力を発生する電動送風機と、前記電動送風機へ電力を供給するための双方向性サイリスタを設け、使用者が操作部を操作することで前記双方向性サイリスタの点弧角をコントロールし、所定の消費電力にパワーコントロールできるトリガ信号を発生させる制御回路を備えた構成において、双方向性サイリスタを所定の位相にて点弧させるトリガ信号を伝達する主トリガ経路、同半波内にて所定の位相よりも遅い副位相で点弧させるトリガ信号を伝達する副トリガ経路を設け、主トリガ経路には経路を遮断する温度過昇遮断手段を配し、前記副位相で電気掃除機を密閉運転した場合、電気掃除機内部の温度上昇が規定の温度より高くならないように副位相を設定することを特徴とするもので、最大消費電力運転時に電気掃除機の吸込口が密閉された場合、温度過昇遮断手段が動作して最大消費電力での運転モードは遮断され安全となり、電気掃除機内部の温度上昇が規定の温度より高くならない副位相の範囲で電動送風機が完全に停止することなく運転できるため、使い勝手がよく安全面においてより信頼性の高い電気掃除機を提供することができる。
【００１０】
第２の発明は、電源電圧を検知する電圧検知手段を設け、検知された電源電圧値により副位相を補正する電圧検知補正手段を設けたことを特徴とするもので、電源電圧が高い場合において、最初に設定されていた副位相で電気掃除機を密閉運転した場合、電気掃除機内部の温度上昇が規定の温度より高くなることが想定されるため補正をかけることにより、確実に電気掃除機内部の温度上昇を規定の温度より低くすることでき、より安全性の高い電気掃除機を提供することができる。
【００１１】
第３の発明は、最大消費電力時の電動送風機への供給電流を検知する電流検知手段を設け、検知された電流値により前記副位相を補正する電流検知補正手段を設けたことを特徴とするもので、電動送風機の性能ばらつきで、最大消費電力が高い電動送風機が組み込まれた場合には、最初に設定されていた副位相で電気掃除機を密閉運転すると、電気掃除機内部の温度上昇が規定の温度より高くなることが想定されるため補正をかけることができるため、確実に電気掃除機内部の温度上昇を規定の温度より低くすることでき、より安全性の高い電気掃除機を提供することができる。
【００１２】
第４の発明は、電気掃除機近傍の外気温度を検知する外気温度検知手段を設け、検知された外気温度により前記副位相を補正する外気温度検知補正手段を設けたことを特徴とす
るもので、外気温が高い環境内で、最初に設定されていた副位相で電気掃除機を密閉運転した場合、電気掃除機内部の温度上昇が規定の温度より高くなることが想定されるため補正をかけることができるため、確実に電気掃除機内部の温度上昇を規定の温度より低くすることでき、より安全性の高い電気掃除機を提供することができる。
【００１３】
第５の発明は、設定された副位相より遅い位相の範囲内で、操作部の操作により使用者が副位相を可変させることができる電気掃除機であり、主位相での動作が温度過昇遮断手段により遮断された場合においても、使用者の操作により消費電力の変化が確認できるため制御回路の異常ではないということが使用者に知らせることができる。
【００１４】
第６の発明は、副トリガ経路に主トリガ経路に設けられた温度過昇遮断手段より動作温度の低い温度過昇遮断手段を配した電気掃除機であり、例えば排気フィルタの目詰まりなどの影響で、想定していた密閉運転以上の温度上昇が発生した場合には、確実に電動送風機を停止させることができる。
【００１５】
第７の発明は、主トリガ経路に設けられた温度過昇遮断手段より副トリガ経路に設けられた温度過昇遮断手段を電動送風機のより近傍に配することを特徴としたものであり、電動送風機近傍に温度過昇遮断手段を設けることで、想定外の温度上昇をより早く的確に検知し、対応できるためより安全な電気掃除機を提供することができる。
【００１６】
以下、本発明の実施の形態について、図面を参照しながら説明する。なお、本実施の形態によって本発明が限定されるものではない。
【００１７】
（実施の形態１）
本発明の第１の実施の形態における電気掃除機について、図１〜７を用いて説明する。図１は、本実施の形態における電気掃除機の全体斜視図、図２は同電気掃除機の断面図であり、図３は同電気掃除機の回路ブロック図である。
【００１８】
電動送風機２が内蔵されている電動送風機室３内には、主トリガ経路１１に配されている電気的に経路を遮断する温度過昇遮断手段４が設けられている。
【００１９】
図４は同電気掃除機のパワーコントロール操作部の平面図で、使用者がこの操作部５を操作することにより、双方向性サイリスタ１０の点弧角をコントロールし、所定の消費電力にパワーコントロールできるトリガ信号を主トリガ経路１１に発生させる制御回路６が設けられている。
【００２０】
また、制御回路６は主トリガ経路１１に主トリガ信号を発生させると共に、同半波内で主トリガ信号よりも遅い副位相で双方向性サイリスタ１０を点弧させる副トリガ信号を副トリガ経路１２に発生させる構成となっている。ここで、副トリガ信号は、副トリガ信号により双方向性サイリスタ１０がコントロールされ、電気掃除機の吸込口７を密閉し、運転した場合において、電気掃除機内部の温度上昇が規定の温度より高くならないように設定されている。実際の掃除機運転状態では、同半波内で主トリガ信号と副トリガ信号とで、２度のトリガ信号を発生させているため、双方向性サイリスタ１０は主トリガ信号によりコントロールされることとなる。
【００２１】
また、制御回路６には、電気掃除機に接続される電源の電圧を検知する電源電圧検知手段１３と検知された電源電圧値をフィードバックし、副トリガ信号を補正する電圧検知補正手段１４が設けられている。さらに加えて、最大消費電力時の電動送風機への供給電流を検知する電流検知手段１５および検知された電流値をフィードバックし、副トリガ信号を補正する電流検知補正手段１６、電気掃除機近傍の外気温度を検知する外気温度検知手
段１７と検知された外気温度をフィードバックし、副トリガ信号を補正する外気温度検知補正手段１８が設けられている。
【００２２】
以上のように構成された電気掃除機の動作を説明する。図５は電気掃除機を最大消費電力にて運転させた後、電気掃除機の吸込口７が密閉されたときの電動送風機室３内の温度上昇と制御回路６の挙動を示したものである。
【００２３】
まず、使用者が電気掃除機の電源をＯＮし、操作部５を操作し最大消費電力にて運転させる。最大消費電力にてカーテンを掃除したり、大きなごみを吸込んだりして電気掃除機の吸込口２が密閉状態になると、電気掃除機内部の温度上昇による熱変形を防止させるため、電動送風機室３内の温度過昇遮断手段４が動作する。温度過昇遮断手段４が動作すると主トリガ経路１１は遮断され、同半波内で主トリガ信号よりも遅い副位相で双方向性サイリスタ１０を点弧させる副トリガ信号により電気掃除機の消費電力がコントロールされる。
【００２４】
これにより電動送風機が完全に停止することなく、電気掃除機内部の温度上昇による熱変形を防止させることができる。ここで、副トリガ信号を電気掃除機の吸込口７の密閉時において電気掃除機内部の温度上昇が規定の温度を超えない範囲で、使用者が操作部５を介して電気掃除機の消費電力を可変させることができるようにすると、制御回路の異常ではないということが使用者に知らせることができる。
【００２５】
また、図６は電圧検知補正手段１４により副トリガ信号を補正したときの電動送風機室２内の温度上昇と制御回路６の挙動を示したものである。図７は外気温度検知補正手段１８により副トリガ信号を補正したときの電動送風機室３内の温度上昇と制御回路６の挙動を示したものである。電流検知補正手段１６による電動送風機室３内の温度上昇と制御回路６の挙動は図６と同様のため説明図は省略する。
【００２６】
電源電圧が高い場合は、電気掃除機の吸込口７が密閉され、温度過昇遮断手段４が動作し主トリガ経路１１は遮断され、予め想定された副位相で運転されると電源電圧が高いため想定時よりも高い消費電力で運転されるため内部温度上昇も高くなるため点線で示すように予め副トリガ信号２２を補正し、電気掃除機内部の温度上昇を抑えるためより低消費電力で運転する。
【００２７】
同様に、最大消費電力時の電動送風機への供給電流が多い場合は、電気掃除機の吸込口７が密閉され、温度過昇遮断手段４が動作し主トリガ経路１１は遮断され、予め想定された副位相で運転されると電源電圧が高いため想定時よりも高い消費電力で運転されるため内部温度上昇も高くなるため点線で示すように予め副トリガ信号を補正し、電気掃除機内部の温度上昇を抑えるためより低消費電力で運転する。
【００２８】
さらに、図７に示されるように、外気温が高い環境内で同様の運転が行われた場合にも、外気温が低い状態より内部温度上昇も高くなると想定できるため点線で示すように予め副トリガ信号を補正し、電気掃除機内部の温度上昇を抑えるためより低消費電力で運転する。
【００２９】
これらの補正により、より確実に電気掃除機内部の温度上昇を規定の温度より低くすることでき安全性が高まる。
【００３０】
（実施の形態２）
図８は副トリガ経路１２に主トリガ経路１１に設けられた温度過昇遮断手段４より動作温度の低い副温度過昇遮断手段８を設けた場合の回路ブロック図である。動作については
実施の形態１と同様であるが、例えば排気フィルタ９の目詰まりなどの影響で、想定していた密閉運転以上の温度上昇が発生した場合には、副トリガ経路１２を遮断でき確実に電動送風機を停止させることができる。
【００３１】
また、図９に示すように主トリガ経路２１に設けられた温度過昇遮断手段４より副トリガ経路１２に設けられた副温度過昇遮断手段８を電動送風機２のより近傍に配することで、想定外の温度上昇をより早く的確に検知できる。
【産業上の利用可能性】
【００３２】
以上のように、本発明にかかる電気掃除機は、最大消費電力運転時に電気掃除機の吸込口が密閉された場合、温度過昇遮断手段が動作して最大消費電力での運転モードは遮断され安全となり、電気掃除機内部の温度上昇が規定の温度より高くならない副位相の範囲で電動送風機が完全に停止することなく運転できるため、使い勝手がよく安全面においてより信頼性の高い電気掃除機を提供することができる。
【符号の説明】
【００３３】
２  電動送風機
３  電動送風機室
４  温度過昇遮断手段
５  操作部
６  制御回路
７  吸込口
１０  双方向性サイリスタ
１１  主トリガ経路
１２  副トリガ経路
【図１】
2010279584.tif 000003
【図２】
2010279584.tif 000004
【図３】
2010279584.tif 000005
【図４】
2010279584.tif 000006
【図５】
2010279584.tif 000007
【図６】
2010279584.tif 000008
【図７】
2010279584.tif 000009
【図８】
2010279584.tif 000010
【図９】
2010279584.tif 000011